(57)【要約】【課題】半導体光源に流れる電流の制御を容易にし、安定かつ信頼性が高い光源駆動を可能にする半導体光源制御装置及び投写型映像表示装置を提供する。【解決手段】本開示による半導体光源制御装置は、電流により発光する半導体光源と、半導体光源に流れる電流により検出電圧を発生する検出抵抗と、検出電圧に基づいて半導体光源の電流を制御する電源電流制御装置とを備え、複数の色期間の各々で半導体光源に流れる電流をＰＷＭ変調することで、半導体光源の出力光の輝度と色調を調整する半導体光源制御装置において、ＰＷＭ変調のデューティの値が最大となる所定の色期間のみ電源電流の制御を行う。【選択図】図４
2020064152.tif 000002
【特許請求の範囲】
【請求項１】
電流により発光する半導体光源と、
前記半導体光源に流れる電流により検出電圧を発生する検出抵抗と、
前記検出電圧に基づいて前記半導体光源に流す電流を制御する電源電流制御装置とを備え、
複数の色期間の各々で前記半導体光源に流れる電流をＰＷＭ変調することで、前記半導体光源の出力光の輝度と色調を調整する半導体光源制御装置において、
前記ＰＷＭ変調のデューティの値が最大となる所定の色期間のみ、前記半導体光源に流す前記電流の振幅を制御する、
半導体光源制御装置。
【請求項２】
前記複数の色期間は、緑色期間を含み、
前記ＰＷＭ変調のデューティの値が最大となる前記所定の色期間は、前記緑色期間である、
請求項１に記載の半導体光源制御装置。
【請求項３】
請求項１又は２に記載の半導体光源制御装置を備える投射型映像表示装置。
【発明の詳細な説明】
【技術分野】
【０００１】
本開示は、半導体光源の電流制御装置に関する。
【背景技術】
【０００２】
特許文献１は、青成分光の色度の改善が図れる光源装置を備えた投写型映像表示装置を提供する。この投写型映像表示装置は、光源ユニットからのＳ偏光の青成分光を円偏光に変換して蛍光体ホイールに入射させる。蛍光体ホイールは入射した青成分光の一部を反射し、残余を透過させる。反射された青成分光はＰ偏光に変換される。透過された青成分光は蛍光体ホイールの蛍光体膜により、青成分光を含む発光光を発光する。これにより、変換されたＰ偏光の青成分光及び、発光した発光光を混色することでｓＲＧＢを包含する色域が実現される。
【先行技術文献】
【特許文献】
【０００３】
【特許文献１】特開２０１８−５４６６７号公報
【発明の概要】
【発明が解決しようとする課題】
【０００４】
本開示は、半導体光源に流れる電流の制御を容易にし、安定かつ信頼性が高い光源駆動を可能にする半導体光源制御装置及び投写型映像表示装置を提供する。
【課題を解決するための手段】
【０００５】
本開示による半導体光源制御装置は、電流により発光する半導体光源と、半導体光源に流れる電流により検出電圧を発生する検出抵抗と、検出電圧に基づいて電源電流を制御する電源電流制御装置とを備え、複数の色期間の各々で半導体光源に流れる電流をＰＷＭ変調することで、半導体光源の出力光の輝度と色調を調整する半導体光源制御装置において、ＰＷＭ変調のデューティの値が最大となる色期間のみ電源電流の制御を行う。
【発明の効果】
【０００６】
本開示によれば、半導体光源に流れる電流の制御が容易となり、安定かつ信頼性が高い光源駆動が可能となる。
【図面の簡単な説明】
【０００７】
【図１】実施の形態１に係る投射型映像表示装置１０の構成例を示すブロック図
【図２】図１の投射型映像表示装置１０における蛍光体ホイール１００の構成例を示す平面図
【図３】図１の投射型映像表示装置１０におけるカラーホイール１２０の構成例を示す平面図
【図４】図１の投射型映像表示装置１０における半導体光源制御装置２０の構成例を示すブロック図
【図５】図２の電源電流制御装置２００に入力されるＰＷＭ同期信号の波形の例を示すタイミングチャート
【図６】図２の電源電流制御装置２００における垂直同期信号、各色のタイミングパルス及びＰＷＭ変調信号の波形の例を示すタイミングチャート
【図７】図２の電源電流制御装置２００における電流値制御処理の動作を説明するためのフローチャート
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者は、当業者が本開示を十分に理解するために添付図面及び以下の説明を提供するのであって、これらによって特許請求の範囲に記載の主題を限定することを意図するものではない。
【００１０】
（実施の形態１）
以下、図１〜７を用いて、実施の形態１を説明する。
【００１１】
［１−１．構成］
図１は、実施の形態１に係る投射型映像表示装置１０の構成例を示すブロック図である。図１において、投射型映像表示装置１０は、半導体光源制御装置２０、蛍光体ホイール１００、ロッドインテグレータ１１０、カラーホイール１２０、ＤＭＤ（デジタル・ミラー・デバイス）１３０、投射レンズ１４０を備えて構成される。
【００１２】
図１において、半導体光源制御装置２０は、例えばレーザ光源などの半導体光源２３０を、青色レーザ光を発光するよう制御する。青色レーザ光はレンズ１５１、１５２、拡散板１５３を透過し、ダイクロイックミラー１５４により反射され、レンズ１５５、１５６により集光されて、蛍光体ホイール１００に入射する。蛍光体ホイール１００は、時分割でその特性を順次選択的に切り替えながら、入射した青色レーザ光の波長を変換して出力する。
【００１３】
蛍光体ホイール１００の出力光は、レンズ１５７、１５８を透過して並行化され、ミラー１５９、１６０により反射され、レンズ１６１及び拡散板１６２を透過し、ミラー１６３及びダイクロイックミラー１５４により反射される。反射された光はレンズ１６４により集光された後、ロッドインテグレータ１１０に入射する。
【００１４】
ロッドインテグレータ１１０は、ガラス等の透明部材によって構成される中実のロッドである。ロッドインテグレータ１１０は蛍光体ホイール１００から入射した光を均一化し、カラーホイール１２０へ出力する。なお、ロッドインテグレータ１１０は、内壁がミラー面によって構成される中空のロッドであってもよい。カラーホイール１２０は、時分割でその特性を順次選択的に切り替えながら、ロッドインテグレータ１１０からの光をフィルタリングして出力する。
【００１５】
カラーホイール１２０により変換された光は、レンズ１６５、１６６、１６７及び内部全反射プリズム１６８を通じてＤＭＤ１３０に入射する。ＤＭＤ１３０は、複数の微小なミラーによって構成されており、微小ミラーは可動式である。各微小ミラーは１画素に相当し、映像信号のその画素の情報に基づいて、投射レンズ１４０側に光を反射するか否かが切り替えられる。これによりカラーホイール１２０からの光は、映像信号に基づいて変調される。ＤＭＤ１３０により変調された映像光は内部全反射プリズム１６８を通じて投射レンズ１４０へ入射される。投射レンズ１４０は変調された映像光をスクリーン（図示なし）に拡大投影する。
【００１６】
図２は、蛍光体ホイール１００の構成例を示す平面図である。蛍光体ホイール１００は、その円周に沿った領域を分割するように、径方向に所定の幅を持って形成された透過領域１０１及び黄色領域１０２からなる。蛍光体ホイール１００はモータ等によって駆動されて回転することで、半導体光源２３０からの青色光を受ける領域１０１、１０２を順次選択的に切り替えながら、入力された光を色変換して出力する。
【００１７】
図３は、カラーホイール１２０の構成例を示す平面図である。カラーホイール１２０は、その円周に沿った面を径方向に分割するように形成された赤色フィルタ領域１２１、緑色フィルタ領域１２２及び透過領域１２３からなる。カラーホイール１２０はモータ等によって駆動されて回転することで、ロッドインテグレータ１１０からの光を受ける領域１２１〜１２３を順次選択的に切り替えながら、入力された光を色変換して出力する。
【００１８】
図４は、図１の投射型映像表示装置１０における半導体光源制御装置２０の構成例を示すブロック図である。図４において、半導体光源制御装置２０は、電源電流制御装置２００、ＤＣ／ＤＣコンバータ２１０、光源電流スイッチ２２０、半導体光源２３０、検出抵抗２４０及び増幅器２５０を備えて構成される。
【００１９】
図４において、電源電流制御装置２００は、外部回路から入力された光源オンオフ信号、各色の電流値情報、各色のタイミングパルス、ＰＷＭ同期信号及び垂直同期信号、並びに増幅器２５０からの実電流値信号を入力する。電源電流制御装置２００は、入力された垂直同期信号に同期して、後述する図７の電流値制御処理を実行する。これにより電源電流制御装置２００は、電流制御信号を生成してＤＣ／ＤＣコンバータ２１０を駆動制御する。また、電源電流制御装置２００は、ＰＷＭ同期信号に同期して、デューティの値が図７の電流値制御処理により決定されたデューティの値と等しくなるようなＰＷＭ変調信号を生成して光源電流スイッチ２２０をオンオフ制御する。すなわち、ＰＷＭ変調により輝度と色調（明度と飽和度を含む色トーンをいう）を調整する。ただし、ＰＷＭ変調信号は、入力された光源オンオフ信号がオフである間、ＰＷＭ変調信号が常にオフとなるように生成する。
【００２０】
ＤＣ／ＤＣコンバータ２１０は、電源電流制御装置２００からの電流制御信号に従って、半導体光源２３０に流す電流を発生する。この時ＤＣ／ＤＣコンバータ２１０は、電流値制御処理により決定された電流値で制御されるため、半導体光源２３０に流れる電流が、目標電流（振幅）値と等しくなるように電流を発生する。光源電流スイッチ２２０は、電源電流制御装置２００からのＰＷＭ変調信号に従って、導通のオンオフを切り替える。これによりＤＣ／ＤＣコンバータ２１０から半導体光源２３０への電流が導通／切断を切り替えられる。
【００２１】
半導体光源２３０は、例えば青色レーザ光源であり、流れる電流の値に応じた強さの青色レーザ光を発光する。半導体光源２３０は、ＤＣ／ＤＣコンバータ２１０により発生し、光源電流スイッチ２２０によりオンオフ変調された電流を流されるため、その出力光はＰＷＭ変調される。検出抵抗２４０は、半導体光源２３０を流れる電流により検出電圧を発生する。この検出電圧は通常（たとえば数ｍＶといった）小さい値のため、そのままでは正確な検出及び反映が難しい。従って増幅器２５０は、検出抵抗２４０による検出電圧を増幅し、実電流値信号として電源電流制御装置２００に出力する。
【００２２】
［１−２．動作］
以上のように構成された投射型映像表示装置１０と半導体光源制御装置２０について、その動作を以下説明する。
【００２３】
［１−２−１．投射型映像表示装置１０の動作］
図１の投射型映像表示装置１０では、垂直同期信号に同期して、１秒を６０等分したフレーム毎に１フレーム分の映像を表示する。各フレームは３サブフレームに分割され、各サブフレームはさらに緑色（Ｇ）期間、赤色（Ｒ）期間、青色（Ｂ）期間及び黄色（Ｙｅ）期間の４つの色期間に分割される。各色期間では、当該サブフレームの映像の対応する色成分が投影表示される。
【００２４】
図５は、図４の電源電流制御装置２００に入力されるＰＷＭ同期信号の波形の例を示すタイミングチャートである。図５においてＴｐｗｍはＰＷＭ同期信号の１周期を示す。ＰＷＭ同期信号の１周期は例えば１３５，０００分の１秒などの非常に短い期間に設定される。
【００２５】
半導体光源制御装置２０により半導体光源２３０から青色レーザ光が発光される。この青色レーザ光は、ＰＷＭ同期信号の周期Ｔｐｗｍ単位でオンオフ切替えが可能で、ある期間に占めるオン期間の割合（デューティ）によって、その期間の光の強さが決定される。半導体光源制御装置２０の動作については後の１−２−２節で詳細に説明する。
【００２６】
半導体光源２３０からの青色レーザ光は蛍光体ホイール１００に入射する。蛍光体ホイールの回転は垂直同期信号に同期しており、１サブフレームで１回転（１秒間に１８０回転）するよう設定される。これにより、１サブフレームの青色（Ｂ）期間の間、青色レーザ光は蛍光体ホイール１００の透過領域１０１に透過されて、そのまま青色光として出力される。また、他の赤色（Ｒ）期間、緑色（Ｇ）期間及び黄色（Ｙｅ）期間では、青色レーザ光は蛍光体ホイール１００の黄色領域１０２により黄色光に変換されて出力される。
【００２７】
蛍光体ホイール１００の出力光はロッドインテグレータ１１０により均一化された後、カラーホイール１２０へと入射する。カラーホイール１２０の回転は蛍光体ホイール１００の回転と同期しており、蛍光体ホイール１００が１回転する間にカラーホイール１２０も１回転する。
【００２８】
１サブフレームの緑色（Ｇ）期間では、蛍光体ホイール１００からの黄色光が赤色フィルタ領域１２１のフィルタにより緑色光に変換されて出力される。赤色（Ｒ）期間では、蛍光体ホイール１００からの黄色光が緑色フィルタ領域１２２のフィルタにより赤色光に変換されて出力される。青色（Ｂ）期間では、蛍光体ホイール１００を透過した青色光がカラーホイール１２０の透過領域１２１を透過して、そのまま青色光として出力される。黄色（Ｙｅ）期間では、蛍光体ホイール１００からの黄色光がカラーホイール１２０の透過領域１２１を透過して、そのまま黄色光として出力される。
【００２９】
このように各色期間には、その期間に対応する色の光がカラーホイール１２０から出力される。カラーホイール１２０から出力された色光は、映像信号に基づいてＤＭＤ１３０により画素ごとに変調され、投射レンズ１４０によりスクリーンに投影される。
【００３０】
［１−２−２．半導体光源制御装置２０の動作］
図４の半導体光源制御装置２０の動作について以下説明する。
【００３１】
図４において、電源電流制御装置２００は、外部回路から入力された光源オンオフ信号、各色の電流値情報、各色のタイミングパルス、ＰＷＭ同期信号及び垂直同期信号、並びに増幅器２５０からの実電流値信号を入力する。電源電流制御装置２００は、入力された垂直同期信号に同期して、後述する図７の電流値制御処理を実行する。これにより電源電流制御装置２００は、電流制御信号を生成してＤＣ／ＤＣコンバータ２１０を駆動制御する。また、電源電流制御装置２００は、ＰＷＭ同期信号に同期して、デューティの値が図７の電流値制御処理により決定されたデューティの値と等しくなるようなＰＷＭ変調信号を生成して光源電流スイッチ２２０をオンオフ制御する。ただし、ＰＷＭ変調信号は、入力された光源オンオフ信号がオフである間、ＰＷＭ変調信号が常にオフとなるように生成する。
【００３２】
ＤＣ／ＤＣコンバータ２１０は、電源電流制御装置２００からの電流制御信号に従って、半導体光源２３０に流す電流を発生する。この時ＤＣ／ＤＣコンバータ２１０は、電流値制御処理により決定された電流値で制御されるため、半導体光源２３０に流れる電流が、目標電流（振幅）値と等しくなるように電流を発生する。光源電流スイッチ２２０は、電源電流制御装置２００からのＰＷＭ変調信号に従って、導通のオンオフを切り替える。これによりＤＣ／ＤＣコンバータ２１０から半導体光源２３０への電流が導通／切断を切り替えられる。
【００３３】
半導体光源２３０は、例えば青色レーザ光源であり、流れる電流の値に応じた強さの青色レーザ光を発光する。半導体光源２３０は、ＤＣ／ＤＣコンバータ２１０により発生し、光源電流スイッチ２２０によりオンオフ変調された電流を流されるため、その出力光はＰＷＭ変調される。検出抵抗２４０は、半導体光源２３０を流れる電流により検出電圧を発生する。この検出電圧は通常（たとえば数ｍＶといった）小さい値のため、そのままでは正確な検出及び反映が難しい。従って増幅器２５０は、検出抵抗２４０による検出電圧を増幅し、実電流値信号として電源電流制御装置２００に出力する。
【００３４】
上記の、半導体光源２３０に流れる電流が、タイミングパルスが示す色の電流値情報と等しくなるようにＤＣ／ＤＣコンバータ２１０を駆動制御するための典型的な技法は、以下のようである。すなわち、電源電流制御装置２００において、目標電流（振幅）値と実電流値信号が示す電流値とが一致していない場合に、それが補正されるようＤＣ／ＤＣコンバータ２１０の出力を上昇又は低下させる。しかしながらこの手法において、実際に半導体光源２３０に流れる電流の波形は、立ち上がりがなまり、傾きのある波形のため、各色のタイミングでＰＷＭ変調信号のデューティの値を変化させると、それに伴って振幅が変化してしまう。
【００３５】
振幅を一定に保つためには、ＤＣ／ＤＣコンバータ２１０の制御をデューティ値の異なる色期間ごとに変化させる必要がある。しかしながら、デューティが小さい値の場合、増幅器２５０の応答又はフィードバック制御系全体の応答の遅延等の問題により、高速で安定した制御が困難となる。さらに、上述の通り半導体光源２３０に流れる電流の波形は立ち上がりがなまった波形である。従ってデューティが小さい値の場合、電流値を目標値に合わせるために、ＤＣ／ＤＣコンバータ２１０は出力が上昇するよう制御される。これにより、色期間の境界等においてデューティの値が急激に上昇した場合、半導体光源２３０に過剰な電力が出力されることがある。一般に半導体光源は定格電流値を超える電流が流されると破損する恐れがあるため、これは好ましくない。また、色期間の境界でＤＣコンバータ２１０の出力を変化させると、半導体光源２３０に流れる電流の波形が波打つような振動現象が発生することがある。これは画質及び信頼性の低下を招くため、好ましくない。
【００３６】
本開示における半導体光源制御装置２０では、ＤＣ／ＤＣコンバータの出力の制御を、緑色（Ｇ）期間のみで行う。白色光を合成するために必要な各色光の強さは、緑色光が最も大きい。従って、ＰＷＭ変調信号のデューティの値も緑色（Ｇ）期間において最大となる。デューティの値が小さい他の期間では、緑色（Ｇ）期間に対するデューティの値の比率のみで出力光の明るさを制御する。これにより、デューティが小さい値の期間に制御を行う必要がないため、半導体光源２３０に流れる電流を容易にかつ安定して制御することができる。
【００３７】
ただし、デューティの値の変化に応じて半導体光源２３０に流れる電流の振幅が変化するため、入力された各色の電流値の比をそのままデューティの値の比とすることはできず、その補正が必要となる。これは、振幅が減少した分の出力の低下を、デューティを増加させて補うことで解決する。緑色（Ｇ）期間に対するデューティの値の比が小さくなるほど大きくデューティを増加させることで、正しい出力が可能となる。
【００３８】
図６は、図４の電源電流制御装置２００における、垂直同期信号、各色のタイミングパルス及びＰＷＭ変調信号の波形の例を示すタイミングチャートである。各色のタイミングパルスにより各色期間が示されている。ただし、黄色（Ｙｅ）期間は、緑色（Ｇ）及び赤色（Ｒ）のタイミングパルスの両方がＨｉｇｈであることにより示される。また、ＰＷＭ変調信号は、緑色（Ｇ）期間におけるデューティ値が最も大きいことがわかる。
【００３９】
図７は、図４の電源電流制御装置２００の動作の例を示すフローチャートである。まず、ステップＳ１において、目標電流（振幅）値及び各色のデューティを外部から受け取る。ステップＳ２において、赤色（Ｒ）のタイミングパルスのみがＨｉｇｈであるか否か、すなわち現在が赤色（Ｒ）期間であるか否かを判断し、Ｙｅｓの場合はステップＳ３へ進み、Ｎｏの場合はステップＳ４へ進む。ステップＳ３では、入力された赤色（Ｒ）のデューティの情報に基づいて、ＰＷＭ変調信号のデューティの値を決定する。
【００４０】
ステップＳ４ではステップＳ２と同様、現在が青色（Ｂ）期間であるか否かを判断し、Ｙｅｓの場合はステップＳ５へ進み、Ｎｏの場合はステップＳ６へ進む。ステップＳ５ではステップＳ３と同様、入力された青色（Ｂ）のデューティの情報に基づいて、ＰＷＭ変調信号のデューティの値を決定する。
【００４１】
ステップＳ６では、赤色（Ｒ）のタイミングパルスと緑色（Ｇ）のタイミングパルスの両方がＨｉｇｈであるか否か、すなわち現在が黄色（Ｙｅ）期間であるか否かを判断し、Ｙｅｓの場合はステップＳ７へ進み、Ｎｏの場合はステップＳ８へ進む。ステップＳ７では、入力された赤色（Ｒ）のデューティの情報及び緑色（Ｇ）のデューティの情報に基づいて、ＰＷＭ変調信号のデューティの値を決定する。この値の決定は、例えば赤色（Ｒ）のデューティの情報及び緑色（Ｇ）のデューティの情報の平均値に基づいて決定してよい。
【００４２】
ステップＳ８では、緑色（Ｇ）のタイミングパルスのみがＨｉｇｈであるか否か、すなわち現在が緑色（Ｇ）期間であるか否かを判断し、Ｙｅｓの場合はステップＳ９へ進み、Ｎｏの場合はステップＳ１から動作を繰り返す。ステップＳ９では、入力された緑色（Ｇ）のデューティの情報に基づいて、ＰＷＭ変調信号のデューティの値を決定する。
【００４３】
ステップＳ１０では、増幅器２５０から入力された実電流値信号が示す検出電流値が、目標電流（振幅）値と比較して低いか否かを判断する。目標電流（振幅）値の方が低い（Ｎｏの）場合はステップＳ１１へ進み、検出電流値及び目標電流（振幅）値の間の差分に基づいてＤＣ／ＤＣコンバータ２１０の出力を低下させる。検出電流置の方が低い（Ｙｅｓの）場合は、ステップＳ１１へ進み、検出電流値及び目標電流（振幅）値の間の差分に基づいてＤＣ／ＤＣコンバータ２１０の出力を上昇させる。ステップＳ１１又はステップＳ１２の補正処理が完了すると、処理はステップＳ８に戻る。
【００４４】
［１−３．効果等］
以上のように、本実施の形態において、投射型映像表示装置１０は、半導体光源制御装置２０と、蛍光体ホイール１００と、カラーホイール１２０と、ＤＭＤ１３０と、投射レンズ１４０とを備える。半導体光源制御装置２０は、半導体光源２３０から青色レーザ光を発光する。蛍光体ホイール１００及びカラーホイール１２０は、垂直同期信号に同期して、半導体光源２３０からの青色レーザ光を色変換する。ＤＭＤ１３０は、色変換された映像光を、映像信号に従って、画素ごとに変調する。投射レンズ１４０は、変調された映像光をスクリーンに投射する。
【００４５】
また、半導体光源制御装置２０は、電源電流制御装置２００と、ＤＣ／ＤＣコンバータ２１０と、光源電流スイッチ２２０と、半導体光源２３０と、検出抵抗２４０と、増幅器２５０とを備える。電源電流制御装置２００は、緑色（Ｇ）期間のみにおいて、半導体光源２３０に流れる電流値が、外部入力の電流値情報と等しくなるように、ＤＣ／ＤＣコンバータの出力を制御する。
【００４６】
また、電源電流制御装置２００は、ＰＷＭ同期信号に同期して、光源電流スイッチ２２０を駆動制御する。半導体光源２３０は、電流を流すことで青色レーザ光を発光する。検出抵抗２４０は、半導体光源２３０を流れる電流により検出電圧を発生する。増幅器２５０は、検出電圧を増幅して、実電流値信号として電源電流制御装置２００に出力する。
【００４７】
これにより、電流値を目標値に合わせるよう制御するために用いるパラメータの数は減少し、フィードバックに用いる電流の時間幅は増加する。従って、半導体光源２３０に流れる電流の制御が容易となる。さらに、色期間の境界におけるＤＣ／ＤＣコンバータの出力の変化に起因する複数の問題が解決されるため、安定かつ信頼性が高い光源駆動が可能となる。
【００４８】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。
【００４９】
そこで、以下、他の実施の形態を例示する。
【００５０】
実施の形態１では、白色光を合成するための色光の一例として、赤色（Ｒ）光、緑色（Ｇ）光、青色（Ｂ）光及び黄色（Ｙｅ）光の組み合わせを説明した。しかしながら、白色光を合成することができればよい。従って、例えば、赤色（Ｒ）光、緑色（Ｇ）光、青色（Ｂ）光の３色の光の組み合わせでもよい。
【００５１】
また、実施の形態１では、デューティの値が最大となる色光の一例として、緑色（Ｇ）光を説明した。しかしながら、上記のように他の色光の組み合わせにより白色光を合成する場合、緑色（Ｇ）光以外のデューティの値が最大となることもあり得る。その場合、その色に対応する期間において電流制御を行えばよい。
【００５２】
さらに、実施の形態１では、青色レーザ光を色変換する手段の一例として、蛍光体ホイール１００及びカラーホイール１２０の組み合わせを説明した。しかしながら、これらは各期間に対応する色に変換できればよく、例えば赤色蛍光体、緑色蛍光体及び黄色蛍光体を備える単独の蛍光体ホイールであってもよい。
【００５３】
以上のように、本開示における技術の例示として、実施の形態を説明した。そのために、添付図面及び詳細な説明を提供した。
【００５４】
従って、添付図面及び詳細な説明に記載された構成要素の中には、課題解決のために必須な構成要素だけでなく、上記技術を例示するために、課題解決のためには必須ではない構成要素も含まれ得る。そのため、それらの必須ではない構成要素が添付図面や詳細な説明に記載されていることをもって、直ちに、それらの必須ではない構成要素が必須であるとの認定をするべきではない。
【００５５】
また、上述の実施の形態は、本開示における技術を例示するためのものであるから、特許請求の範囲またはその均等の範囲において種々の変更、置き換え、付加、省略などを行うことができる。
【産業上の利用可能性】
【００５６】
本開示は、半導体光源の光を各色光に変換して投影する投射型映像表示装置に適用可能であり、具体的には、プロジェクタ等に本開示は適用可能である。
【符号の説明】
【００５７】
１０  投射型映像表示装置
２０  半導体光源制御装置
１００  蛍光体ホイール
１１０  ロッドインテグレータ
１２０  カラーホイール
１３０  ＤＭＤ
１４０  投射レンズ
２００  電源電流制御装置
２１０  ＤＣ／ＤＣコンバータ
２２０  光源電流スイッチ
２３０  半導体光源
２４０  検出抵抗
２５０  増幅器
【図１】
2020064152.tif 000003
【図２】
2020064152.tif 000004
【図３】
2020064152.tif 000005
【図４】
2020064152.tif 000006
【図５】
2020064152.tif 000007
【図６】
2020064152.tif 000008
【図７】
2020064152.tif 000009